(57)【要約】【課題】レンタカー利用時に再生する楽曲データをネットワークの使用率が低い時間帯を利用してレンタカー搭載の車載機にダウンロードする。【解決手段】レンタカー事業者システム１０１の予約受付システム１０１、予約システム１００は利用者からのアクセスにより楽曲データダウンロードの予約番号を利用者に送信する。楽曲配信事業者システム２０の楽曲配信システム２００は、利用者からの予約番号を伴うアクセスにより、利用者の希望する楽曲データを検索し、パスワード、車載機ＩＤ、利用期間、選曲情報等を含む利用情報を記憶装置２０２に格納し、パスワードを利用者に送信する。レンタカーの車載機４００は、利用者により入力されたパスワード等を利用して楽曲配信システム２００にアクセスし、楽曲データをダウンロードし、再生する。【選択図】      図２
2004361723.tif 000002
【特許請求の範囲】
【請求項１】
レンタカーの予約を端末からインターネットを介して受付け、予約番号を生成し、予約期間、車載機ＩＤ、予約番号を前記インターネットを介し前記端末に送信するレンタカー事業者システムと、
前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する楽曲配信事業者システムと、
前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持するレンタカーの車載機と、
を有することを特徴とする楽曲データ配信システム。
【請求項２】
インターネットに接続する端末と、
レンタカーの予約を前記端末から前記インターネットを介して受付け、予約番号を生成し、予約期間、車載機ＩＤ、予約番号を前記インターネットを介し前記端末に送信するレンタカー事業者システムと、
前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する楽曲配信事業者システムと、
前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持するレンタカーの車載機と、
を有することを特徴とする楽曲データ配信システム。
【請求項３】
インターネットに接続する端末と、
レンタカーの予約を前記端末から前記インターネットを介して受付け、予約番号を生成し、予約期間、車載機ＩＤ、予約番号を前記インターネットを介し前記端末に送信するレンタカー事業者システムと、
前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する楽曲配信事業者システムと、
前記楽曲配信事業者システムから検索要求を受信し、内蔵する楽曲データを検索し、検索結果の楽曲データの選曲ＩＤを前記楽曲配信事業者システムに送信する楽曲提供者システムと、
前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持するレンタカーの車載機と、
を有することを特徴とする楽曲データ配信システム。
【請求項４】
ダウンロードされた楽曲が再生されたことを示す選曲履歴を作成し前記楽曲配信事業者システムに送信し、楽曲の追加要求の選曲要求を送信し、利用期間の終了日を超過した場合に、超過信号を前記楽曲配信事業者システムに送信し、新たな利用期間の終了日を受信し、新たな鍵データ要求を前記楽曲配信事業者システムに送信し、前記楽曲配信事業者システムからの楽曲データ削除指示により、楽曲データの削除を行う前記車載機と、
前記車載器からの選曲履歴を受信し、前記車載機からの楽曲の追加要求の選曲要求により、楽曲データの送信を前記車載機に実施し、前記車載機から超過信号を受信すると、新たな利用期間の終了日を前記車載機に送信し、新たな鍵データ要求を受信すると新たな鍵データを前記車載機に送信し、一定の規則にしたがい楽曲データ削除指示を前記車載機に送信する前記楽曲配信事業者システムと、
を有することを特徴とする請求項３記載の楽曲データ配信システム。
【請求項５】
レンタカーの予約を端末からインターネットを介して受付け、予約番号を生成し、予約期間、車載機ＩＤ、予約番号を前記インターネットを介し前記端末に送信する処理をレンタカー事業者システムに実行させる手順と、前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する処理を楽曲配信事業者システムに実行させる手順と、
前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持する処理をレンタカーの車載機に実行させる手順と、
を含むことを特徴とする楽曲データ配信方法。
【請求項６】
インターネットに接続する処理を端末に実行させる手順と、レンタカーの予約を前記端末から前記インターネットを介して受付け、予約番号を生成し、予約期間、車載機ＩＤ、予約番号を前記インターネットを介し前記端末に送信する処理をレンタカー事業者システムに実行させる手順と、
前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する処理を楽曲配信事業者システムに実行させる手順と、
前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持する処理をレンタカーの車載機に実行させる手順と、
を含むことを特徴とする楽曲データ配信方法。
【請求項７】
インターネットに接続する処理を端末に実行させる手順と、レンタカーの予約を前記端末から前記インターネットを介して受付け、予約番号を生成し、予約期間、車載機ＩＤ、予約番号を前記インターネットを介し前記端末に送信する処理をレンタカー事業者システムに実行させる手順と、
前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する処理を楽曲配信事業者システムに実行させる手順と、
前記楽曲配信事業者システムから検索要求を受信し、内蔵する楽曲データを検索し、検索結果の楽曲データの選曲ＩＤを前記楽曲配信事業者システムに送信する処理を楽曲提供者システムに実行させる手順と、
前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持する処理をレンタカーの車載機に実行させる手順と、
を含むことを特徴とする楽曲データ配信方法。
【請求項８】
ダウンロードされた楽曲が再生されたことを示す選曲履歴を作成し前記楽曲配信事業者システムに送信し、楽曲の追加要求の選曲要求を送信し、利用期間の終了日を超過した場合に、超過信号を前記楽曲配信事業者システムに送信し、新たな利用期間の終了日を受信し、新たな鍵データ要求を前記楽曲配信事業者システムに送信し、前記楽曲配信事業者システムからの楽曲データ削除指示により、楽曲データの削除を行う処理を前記車載機に実行させる手順と、前記車載器からの選曲履歴を受信し、前記車載機からの楽曲の追加要求の選曲要求により、楽曲データの送信を前記車載機に実施し、前記車載機から超過信号を受信すると、新たな利用期間の終了日を前記車載機に送信し、新たな鍵データ要求を受信すると新たな鍵データを前記車載機に送信し、一定の規則にしたがい楽曲データ削除指示を前記車載機に送信する処理を前記楽曲配信事業者システムに実行させる手順と、
を含むことを特徴とする請求項７記載の楽曲データ配信方法。
【請求項９】
レンタカーの予約を端末からインターネットを介して受付け、予約番号を生成し、予約期間、車載機ＩＤ、予約番号を前記インターネットを介し前記端末に送信する処理をレンタカー事業者システムに実行させる手順と、前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する処理を楽曲配信事業者システムに実行させる手順と、
前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持する処理をレンタカーの車載機に実行させる手順と、
を含むことを特徴とする楽曲データ配信プログラム。
【請求項１０】
インターネットに接続する処理を端末に実行させる手順と、
レンタカーの予約を前記端末から前記インターネットを介して受付け、予約番号を生成し、予約期間、車載機ＩＤ、予約番号を前記インターネットを介し前記端末に送信する処理をレンタカー事業者システムに実行させる手順と、
前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する処理を楽曲配信事業者システムに実行させる手順と、
前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持する処理をレンタカーの車載機に実行させる手順と、
を含むことを特徴とする楽曲データ配信プログラム。
【請求項１１】
インターネットに接続する処理を端末に実行させる手順と、
レンタカーの予約を前記端末から前記インターネットを介して受付け、予約番号を生成し、予約期間、車載機ＩＤ、予約番号を前記インターネットを介し前記端末に送信する処理をレンタカー事業者システムに実行させる手順と、
前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する処理を楽曲配信事業者システムに実行させる手順と、
前記楽曲配信事業者システムから検索要求を受信し、内蔵する楽曲データを検索し、検索結果の楽曲データの選曲ＩＤを前記楽曲配信事業者システムに送信する処理を楽曲提供者システムに実行させる手順と、
前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持する処理をレンタカーの車載機に実行させる手順と、
を含むことを特徴とする楽曲データ配信プログラム。
【請求項１２】
ダウンロードされた楽曲が再生されたことを示す選曲履歴を作成し前記楽曲配信事業者システムに送信し、楽曲の追加要求の選曲要求を送信し、利用期間の終了日を超過した場合に、超過信号を前記楽曲配信事業者システムに送信し、新たな利用期間の終了日を受信し、新たな鍵データ要求を前記楽曲配信事業者システムに送信し、前記楽曲配信事業者システムからの楽曲データ削除指示により、楽曲データの削除を行う処理を前記車載機に実行させる手順と、
前記車載器からの選曲履歴を受信し、前記車載機からの楽曲の追加要求の選曲要求により、楽曲データの送信を前記車載機に実施し、前記車載機から超過信号を受信すると、新たな利用期間の終了日を前記車載機に送信し、新たな鍵データ要求を受信すると新たな鍵データを前記車載機に送信し、一定の規則にしたがい楽曲データ削除指示を前記車載機に送信する処理を前記楽曲配信事業者システムに実行させる手順と、
を含むことを特徴とする請求項１１記載の楽曲データ配信プログラム。
【発明の詳細な説明】
【０００１】
【発明の属する技術分野】
本発明は、楽曲データ配信システム、楽曲データ配信方法、および、楽曲データ配信プログラムに関し、特に、レンタカーの車載機に楽曲データをダウンロードする楽曲データ配信システム、楽曲データ配信方法、および、楽曲データ配信プログラムに関する。
【０００２】
【従来の技術】
レンタカー利用者の多くが、自作のＭＤ（ミニディスク）、ＣＤ（コンパクトディスク）を持参して車内で利用しており、旅行の場合、旅先まで荷物となるＣＤ、ＭＤを持っていく場合がある。また、車内の娯楽として聞いているＣＤ、ＭＤはＣＤ購入時、ＭＤ作成時の気分で得たものであり、実際にレンタカーを利用するタイミングで聞きたいものとは必ずしも一致していなかった。
【０００３】
これらを解決する手法として、店舗にて楽曲データまたは楽曲情報をＣＤ−Ｒ等の記憶媒体に記録し、レンタカーユーザに店舗で貸し出す手法が記されている。（たとえば、特許文献１）
また、携帯電話を車載オーディオ装置の外部に接続しインターネット経由で楽曲をダウンロードする方式もある。（たとえば、特許文献２）
【特許文献１】
特開２００３−２９７７０号公報
【特許文献２】
特開２００２−３５１４７５号公報
【０００４】
【発明が解決しようとする課題】
上述の特許文献１記載の技術の問題点は、レンタカー事業者の各店舗に貸し出し用のシステムを配置しなければならないため、システムの設置・管理ならびにユーザへの貸し出しのための要員育成等のコストがレンタカー事業者に発生してしまうことである。また、各店舗で常にＣＤ−Ｒ等の媒体を準備しなければならず、さらに、返却後に楽曲が記録されたこれら媒体の管理が著作権管理の上でむずかしいことである。
【０００５】
特許文献２記載の技術の問題点は、通常の電話音声トラフィックが集中する時間帯でもダウンロードを実施してしまうため、モバイルネットワークのネットワークリソースの観点から非常に非効率なことである。
【０００６】
一般にデジタルコンテンツのダウンロードについて著作権および隣接権保持者にとって、違法コピーの対象となることが予想されることより慎重になるケースが存在する。一方、一般ユーザへの楽曲提供の方法としては、楽曲の購入が前提であり、購入した楽曲を個人の利用のために媒体にコピーすることは認められていることであり、そのニーズがあることも事実である。したがって、一般ユーザへの楽曲提供は、これら配信側とユーザ間のジレンマを常に抱えておりインターネット等の通信手段を使ったデジタルコンテンツの配信ビジネスが成立しづらい状況である。すなわち、楽曲の権利保持者がコンテンツ管理のできない情報端末への楽曲提供ビジネスは形態として成立しない問題を抱えている。
【０００７】
また、ユーザが放送（サービス提供者が楽曲を構成しユーザに聞かせる手法）でもなく、購入（ユーザが楽曲を有料で所有して聞きたいときにいつでも聞くことができる）でもない、聞きたい曲を一定期間、その場所だけで利用したい場合の有料のサービス形態として、ジュークボックスサービスがあるが、従来のジュークボックス装置ではジュークボックス内にＣＤとコインを蓄積する装置を搭載してサービスを提供するため、車内で利用することは不可能であった。
【０００８】
レンタカー利用者が車内で有料の楽曲を利用する手段として、ＣＤを各レンタカー店舗内に保管し有料でレンタカーを利用した顧客に貸し出す手法も考えられるが、店舗毎に多様なユーザのニーズにこたえうるだけのＣＤを保管しておかなければならず、非常にコストの高い手法となる。
【０００９】
本発明の目的は、レンタカー利用時に再生する楽曲データをネットワークの使用率が低い時間帯を利用してレンタカー搭載の車載機にダウンロードする構成により、上記問題点を解決することである。
【００１０】
【課題を解決するための手段】
本発明の第１の楽曲データ配信システムは、レンタカーの予約を端末からインターネットを介して受付け、予約番号を生成し、予約期間、車載機ＩＤ、予約番号を前記インターネットを介し前記端末に送信するレンタカー事業者システムと、前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する楽曲配信事業者システムと、前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持するレンタカーの車載機と、を有することを特徴とする。
【００１１】
本発明の第２の楽曲データ配信システムは、インターネットに接続する端末と、レンタカーの予約を前記端末から前記インターネットを介して受付け、予約番号を生成し、予約期間、車載機ＩＤ、予約番号を前記インターネットを介し前記端末に送信するレンタカー事業者システムと、前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する楽曲配信事業者システムと、前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持するレンタカーの車載機と、を有することを特徴とする。
【００１２】
本発明の第３の楽曲データ配信システムは、インターネットに接続する端末と、レンタカーの予約を前記端末から前記インターネットを介して受付け、予約番号を生成し、予約期間、車載機ＩＤ、予約番号を前記インターネットを介し前記端末に送信するレンタカー事業者システムと、前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する楽曲配信事業者システムと、前記楽曲配信事業者システムから検索要求を受信し、内蔵する楽曲データを検索し、検索結果の楽曲データの選曲ＩＤを前記楽曲配信事業者システムに送信する楽曲提供者システムと、前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持するレンタカーの車載機と、を有することを特徴とする。
【００１３】
本発明の第４の楽曲データ配信システムは、前記第３の楽曲データ配信システムであって、
ダウンロードされた楽曲が再生されたことを示す選曲履歴を作成し前記楽曲配信事業者システムに送信し、楽曲の追加要求の選曲要求を送信し、利用期間の終了日を超過した場合に、超過信号を前記楽曲配信事業者システムに送信し、新たな利用期間の終了日を受信し、新たな鍵データ要求を前記楽曲配信事業者システムに送信し、前記楽曲配信事業者システムからの楽曲データ削除指示により、楽曲データの削除を行う前記車載機と、
前記車載器からの選曲履歴を受信し、前記車載機からの楽曲の追加要求の選曲要求により、楽曲データの送信を前記車載機に実施し、前記車載機から超過信号を受信すると、新たな利用期間の終了日を前記車載機に送信し、新たな鍵データ要求を受信すると新たな鍵データを前記車載機に送信し、一定の規則にしたがい楽曲データ削除指示を前記車載機に送信する前記楽曲配信事業者システムと、
を有することを特徴とする。
【００１４】
本発明の第１の楽曲データ配信方法は、レンタカーの予約を端末からインターネットを介して受付け、予約番号を生成し、予約期間、車載機ＩＤ、予約番号を前記インターネットを介し前記端末に送信する処理をレンタカー事業者システムに実行させる手順と、前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する処理を楽曲配信事業者システムに実行させる手順と、前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持する処理をレンタカーの車載機に実行させる手順と、を含むことを特徴とする。
【００１５】
本発明の第２の楽曲データ配信方法は、インターネットに接続する処理を端末に実行させる手順と、レンタカーの予約を前記端末から前記インターネットを介して受付け、予約番号を生成し、予約期間、車載機ＩＤ、予約番号を前記インターネットを介し前記端末に送信する処理をレンタカー事業者システムに実行させる手順と、前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する処理を楽曲配信事業者システムに実行させる手順と、前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持する処理をレンタカーの車載機に実行させる手順と、を含むことを特徴とする。
【００１６】
本発明の第３の楽曲データ配信方法は、インターネットに接続する処理を端末に実行させる手順と、レンタカーの予約を前記端末から前記インターネットを介して受付け、予約番号を生成し、予約期間、車載機ＩＤ、予約番号を前記インターネットを介し前記端末に送信する処理をレンタカー事業者システムに実行させる手順と、前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する処理を楽曲配信事業者システムに実行させる手順と、前記楽曲配信事業者システムから検索要求を受信し、内蔵する楽曲データを検索し、検索結果の楽曲データの選曲ＩＤを前記楽曲配信事業者システムに送信する処理を楽曲提供者システムに実行させる手順と、前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持する処理をレンタカーの車載機に実行させる手順と、を含むことを特徴とする。
【００１７】
本発明の第４の楽曲データ配信方法は、前記第３の楽曲データ配信方法であって、ダウンロードされた楽曲が再生されたことを示す選曲履歴を作成し前記楽曲配信事業者システムに送信し、楽曲の追加要求の選曲要求を送信し、利用期間の終了日を超過した場合に、超過信号を前記楽曲配信事業者システムに送信し、新たな利用期間の終了日を受信し、新たな鍵データ要求を前記楽曲配信事業者システムに送信し、前記楽曲配信事業者システムからの楽曲データ削除指示により、楽曲データの削除を行う処理を前記車載機に実行させる手順と、
前記車載器からの選曲履歴を受信し、前記車載機からの楽曲の追加要求の選曲要求により、楽曲データの送信を前記車載機に実施し、前記車載機から超過信号を受信すると、新たな利用期間の終了日を前記車載機に送信し、新たな鍵データ要求を受信すると新たな鍵データを前記車載機に送信し、一定の規則にしたがい楽曲データ削除指示を前記車載機に送信する処理を前記楽曲配信事業者システムに実行させる手順と、を含むことを特徴とする。
【００１８】
本発明の第１の楽曲データ配信プログラムは、レンタカーの予約を端末からインターネットを介して受付け、予約番号を生成し、予約期間、車載機ＩＤ、予約番号を前記インターネットを介し前記端末に送信する処理をレンタカー事業者システムに実行させる手順と、前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する処理を楽曲配信事業者システムに実行させる手順と、前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持する処理をレンタカーの車載機に実行させる手順と、を含むことを特徴とする。
【００１９】
本発明の第２の楽曲データ配信プログラムは、インターネットに接続する処理を端末に実行させる手順と、レンタカーの予約を前記端末から前記インターネットを介して受付け、予約番号を生成し、予約期間、車載機ＩＤ、予約番号を前記インターネットを介し前記端末に送信する処理をレンタカー事業者システムに実行させる手順と、前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する処理を楽曲配信事業者システムに実行させる手順と、前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持する処理をレンタカーの車載機に実行させる手順と、を含むことを特徴とする。
【００２０】
本発明の第３の楽曲データ配信プログラムは、インターネットに接続する処理を端末に実行させる手順と、レンタカーの予約を前記端末から前記インターネットを介して受付け、予約番号を生成し、予約期間、車載機ＩＤ、予約番号を前記インターネットを介し前記端末に送信する処理をレンタカー事業者システムに実行させる手順と、前記インターネットを介し、前記端末から楽曲の利用を受信し、前記端末からの選曲情報にしたがい、楽曲データの検索要求を送信し、検索結果の楽曲データの選曲ＩＤを受信し、前記端末からの選択完了を受け、予約番号、利用期間、車載機ＩＤ、選曲ＩＤを利用データとして記憶装置に格納し、事前に設定された時間帯に、楽曲ダウンロード要求通知を送信し、順番、楽曲データ、鍵データの組を送信する処理を楽曲配信事業者システムに実行させる手順と、前記楽曲配信事業者システムから検索要求を受信し、内蔵する楽曲データを検索し、検索結果の楽曲データの選曲ＩＤを前記楽曲配信事業者システムに送信する処理を楽曲提供者システムに実行させる手順と、前記楽曲配信事業者システムからの楽曲ダウンロード要求通知を受信すると、前記楽曲配信事業者システムにダウンロード要求を送信し、前記楽曲配信事業者システムからの順番、楽曲データ、鍵データの組を楽曲再生用データとして内部に保持する処理をレンタカーの車載機に実行させる手順と、を含むことを特徴とする。
【００２１】
本発明の第４の楽曲データ配信プログラムは、前記第３の楽曲データ配信プログラムであって、
ダウンロードされた楽曲が再生されたことを示す選曲履歴を作成し前記楽曲配信事業者システムに送信し、楽曲の追加要求の選曲要求を送信し、利用期間の終了日を超過した場合に、超過信号を前記楽曲配信事業者システムに送信し、新たな利用期間の終了日を受信し、新たな鍵データ要求を前記楽曲配信事業者システムに送信し、前記楽曲配信事業者システムからの楽曲データ削除指示により、楽曲データの削除を行う処理を前記車載機に実行させる手順と、
前記車載器からの選曲履歴を受信し、前記車載機からの楽曲の追加要求の選曲要求により、楽曲データの送信を前記車載機に実施し、前記車載機から超過信号を受信すると、新たな利用期間の終了日を前記車載機に送信し、新たな鍵データ要求を受信すると新たな鍵データを前記車載機に送信し、一定の規則にしたがい楽曲データ削除指示を前記車載機に送信する処理を前記楽曲配信事業者システムに実行させる手順と、を含むことを特徴とする。
【００２２】
【発明の実施の形態】
次に、本発明の第１の実施の形態について図面を参照して詳細に説明する。
【００２３】
本発明の第１の実施の形態は、レンタカー事業者のインターネット予約による楽曲提供サービスのシステムである。
【００２４】
図１は、本発明の第１の実施の形態の構成概要を示す説明図である。
【００２５】
図１を参照すると、本発明の第１の実施の形態は、楽曲配信事業者、携帯電話事業者、楽曲提供事業者によって提供される楽曲提供サービスをレンタカー事業者が主体となってレンタカー利用者に提供するものである。
【００２６】
図２は、利用者がサービスを利用する際の概要を示す説明図である。
【００２７】
図２を参照すると、利用者は、レンタカーを利用する際、レンタカー事業者システム１０の予約システム１００、予約受付システム１０１が提供するインターネットに公開されたレンタカー予約のホームページから予約を実施する。その際、予約システム１００は、このサービスの利用希望の有無をホームページ上のチェックボタンで掲載し、利用者の予約状況を登録する。予約が完了した場合、利用者は聞きたい曲をホームページ上から選択し、選択した内容は楽曲配信事業者の楽曲配信システム２００に登録される。
【００２８】
楽曲配信事業者システム２０の楽曲配信システム２００は、あらかじめ設定された携帯電話網３００のトラフィックが低い時間帯を利用して、レンタカー搭載の再生装置である車載機４００に暗号化された楽曲データをダウンロードする。
【００２９】
この際、暗号化された楽曲データの暗号を解く鍵データを合わせてダウンロードし利用者がレンタカーの利用を開始するまでに再生可能な状態にしておく。利用者はレンタカー店舗に来訪した際、所定の利用料金をレンタカー事業者に対して支払い、レンタカー返却までの期間の間、車載機４００を使って選択した楽曲を何度も聞くことができる。
【００３０】
なお、レンタカー事業者は、インターネット予約を実施せず直接店舗に訪れたユーザに対しては、店舗に設置される汎用のパソコン８０１、携帯電話８０２からユーザに代わってインターネット６００を使って車載機４００の利用登録を行う。この場合の動作は、利用者の行う動作と同様である。
【００３１】
また、車載機４００に蓄積されたデータは利用者がレンタカー返却後（利用終了日から一定期間超過後）に全て削除される。
【００３２】
図１に示す各事業者間の利用料金の精算方法は、楽曲配信事業者が、楽曲配信システム２００に蓄積された車載機利用データ、選曲利用データを使って実施する。車載機利用データには、その車載機４００が利用された期間（日付）の情報が記されている。また、楽曲利用データには、その曲がいつ、どのユーザによって、何回再生されたかを示す情報が設定されている。
【００３３】
楽曲配信事業者は、車載機利用データから、サービス利用料金をレンタカー事業者に請求する。また、携帯電話事業者に対しては、車載機利用データから車載機４００が利用した期間に応じたネットワーク使用料または利用者のサービス利用にかかわらず、車載機４００単位に一定期間の料金を支払う。
【００３４】
また楽曲配信事業者は、同様に、楽曲配信システム２００に蓄積された楽曲利用データを楽曲提供事業者に提示し、楽曲再生回数に応じた料金もしくはそれに準じる定額料金を楽曲提供事業者に支払う。
【００３５】
楽曲提供事業者は、楽曲利用データを利用して、この楽曲リクエスト回数、ならびに、配信完了回数に基づいて得た料金の一部、もしくは、一定期間内に利用を想定される利用回数に基づいた一定の料金を著作権料として著作権・著作隣接権保持者ならびにその団体に対して支払う。
【００３６】
図３は、本発明の第１の実施の形態の詳細構成を示すブロック図である。
【００３７】
図３を参照すると、本発明の第１の実施の形態は、レンタカー事業者システム１０と、楽曲配信事業者システム２０と、楽曲提供者システム９０と、携帯電話事業者により提供されるＣＤＭＡ（符号分割多重接続）技術により提供される携帯電話網３００と、外部記憶媒体（ＣＤ−Ｒ、メモリーカード等）へのインターフェースを持たないレンタカーに搭載された楽曲提供用途専用の車載機４００と、インターネット６００と、家庭に設置されるパソコン８０３（パーソナルコンピュータ）と、レンタカー店舗に設置されるパソコン８０１（パーソナルコンピュータ）と、携帯電話８０２とから構成される。
【００３８】
楽曲提供者システム９０と楽曲配信事業者システム２０とはＩＰ通信可能な専用線１１（回線）で接続され、楽曲配信事業者システム２０と携帯電話網３００とはＩＰ通信可能な専用線１２（回線）で接続され、レンタカー事業者システム１０、携帯電話網３００、パソコン８０３、パソコン８０１は、インターネット６００で接続され、車載機４００、携帯電話８０２は、携帯電話網３００に電波等で接続される。パソコン８０３、パソコン８０１、携帯電話８０２を含めて、端末と呼ぶ。
【００３９】
レンタカー事業者システム１０は、インターネット６００を介したレンタカー予約を受け付け、車載機４００の利用有無を示すチェックボタンを付加したホームページをインターネット６００に公開する予約受付システム１０１と、インターネット６００からのレンタカー予約を予約受付システム１０１を介して受け付け、さらに、予約された車載機４００の情報を楽曲配信システム２００のユーザ管理装置２０５に登録する機能を持つ予約システム１００と、車載機４００のＩＤ情報等を含むデータテーブル１０３を格納する記憶装置１０２とを備える。
【００４０】
楽曲提供者システム９０は、楽曲提供事業者が提供する任意の識別ＩＤ（選曲ＩＤ）を付加し暗号化されたデジタル楽曲データを格納する楽曲蓄積装置９００を備える。
【００４１】
楽曲配信事業者システム２０は、楽曲配信システム２００と、インターネット６００からの選曲を受け付ける選曲受付システム２０１と、利用情報（パスワード、車載機ＩＤ、期間、選曲情報等）を格納する記憶装置２０２を備える。
【００４２】
楽曲配信システム２００は、車載機４００からの選曲要求を受け付けるためのリクエスト受付装置２０３と、楽曲データの暗号を解除するための鍵データを生成する鍵データ生成装置２０４と、車載機４００の利用を管理するユーザ管理装置２０５と、楽曲の配信を制御する配信装置２０６と、車載機４００に対する要求信号を送信する要求配信装置２０７とを備える。
【００４３】
次に、本発明の第１の実施の形態の動作について図面を参照して説明する。
【００４４】
本システムの動作は、（１）利用者の予約動作、（２）システムの利用準備動作、（３）利用中の動作、（４）利用終了後の動作の４つに分類される。
【００４５】
次に、（１）利用者の予約動作について説明する。
【００４６】
図４は、利用者利用予約の動作を示す説明図である。
【００４７】
図４を参照すると、利用者によりパソコン８０３（パソコン８０１、携帯電話８０２を含む）等に予約受付システム１０１がインターネット６００に公開するレンタカー予約のホームページを通して、利用したい車種、利用期間に加え、楽曲配信サービスの利用有無等（希望情報）が入力されると、パソコン８０３は、予約受付システム１０１に希望情報を送信する（図４の希望情報入力）。予約システム１００は、車種、期間、楽曲配信サービス利用の有無等に基づいて、記憶装置１０２に蓄積されているレンタカーの管理データを検索し（図４の希望情報の検索）、検索結果（車種、価格等）を予約受付システム１０１を介してパソコン８０３に検索結果を送信する（図４の結果）。パソコン８０３は、結果の承認情報を送信し（図４の承認）、予約システム１００は、データテーブル１０３を作成し、記憶装置１０２に格納する（図４の登録）。
【００４８】
データテーブル１０３は、車種、利用期間、車載機ＩＤ（個々の車載機４００を識別するＩＤ）等が含まれる。
【００４９】
予約システム１００は、登録の完了を契機にデータテーブル１０３に登録された期間、車載機ＩＤに対応した予約番号を生成し、予約番号、利用期間、車載機ＩＤの情報を含む応答情報を送信する（図４の応答）。パソコン８０３は、応答情報を内部に記憶し、予約番号、選曲するための選曲受付システム２０１へのリンクボタンを予約完了画面に表示する（図４の応答）。
【００５０】
次に、利用者の楽曲選曲実施時の動作について図面を参照して説明する。
【００５１】
図５は、利用者の楽曲選曲実施時の動作を示す説明図である。
【００５２】
図５を参照すると、先の予約完了画面から選曲受付システム２０１へのリンクボタンが押下されると、選曲受付システム２０１は、選曲画面を送信し、パソコン８０３は、予約番号入力欄を含む登録画面を表示する。登録画面の予約番号入力欄に利用者により予約番号が入力されると、パソコン８０３は、予約番号、および記憶された応答情報の利用期間、車載機ＩＤを含む利用データを送信する（図５の予約番号入力）。選曲受付システム２０１は、利用データを楽曲配信システム２００のユーザ管理装置２０５に送信し、ユーザ管理装置２０５は、利用データを利用情報として記憶装置２０２に格納する（図５の登録）。
【００５３】
次に、選曲受付システム２０１は、選曲画面を送信する。たとえば、選曲画面は、アーティスト名、楽曲名、リリース年、月からの選択とし、アーティスト名、楽曲名については「あ行、か行」といった５０音検索機能を提供する。また、リリース年月についても数値入力による検索機能をサポートする。
【００５４】
利用者により選曲画面から選択が実施されると、パソコン８０３は、選曲情報として選曲受付システム２０１に送信する（図５の選曲情報）。選曲受付システム２０１は、選曲情報を含む検索要求を専用線１１を介して楽曲提供者システム９０の楽曲蓄積装置９００に送信する（図５の検索）。楽曲蓄積装置９００は、選曲情報に基づいて蓄積している楽曲を検索し、適合する楽曲を含む楽曲一覧情報を選曲受付システム２０１に送信する（図５の結果）。選曲受付システム２０１は、パソコン８０３に楽曲一覧情報を送信し（図５の結果）、パソコン８０３は、楽曲一覧情報を楽曲一覧画面に表示する。
【００５５】
利用者が、楽曲一覧画面から、楽曲を選択し、完了ボタンを押下すると、パソコン８０３は、選択楽曲と順番の情報を選曲受付システム２０１に送信する（図５の選択）。選曲受付システム２０１は、選択楽曲と順番の情報を予約番号と共に内部に利用者別選曲情報として格納し、選曲画面を送信する（図５の応答）。選曲画面の送信、図５の選曲情報〜図５の応答までが繰り返され、複数の選択楽曲の情報が利用者別選曲情報に格納される。
【００５６】
次に、パソコン８０３から選曲受付システム２０１に選択完了が送信されると（図５選択完了）、選曲受付システム２０１は、利用者別選曲情報をユーザ管理装置２０５に送信し、ユーザ管理装置２０５は、選択楽曲と順番を含む利用者別選曲情報を受け取ると、予約番号、利用期間、車載機ＩＤ、順番・選曲ＩＤ（選択楽曲と順番の情報から、選択された楽曲に対応する楽曲の識別子を選曲ＩＤとする）を含む利用者別一次データを作成し、記憶装置２０２に格納する（図５の登録完了）。
【００５７】
選曲受付システム２０１は、利用者別一次データを一定期間保持し、利用者からの変更を許容する。
【００５８】
利用者は変更の際、選曲受付システム２０１へのリンクボタンを押下することで、選曲受付システム２０１へ達することができる。変更のために選曲受付システム２０１をアクセスした利用者は、予約番号を使って、選曲受付システム２０１の利用者別選曲情報を参照することができる。参照結果から変更する手順は、最初の選択方法と同様に実施する。
【００５９】
次に、（２）利用準備動作について図面を参照して説明する。
【００６０】
図６は、利用準備の動作（選曲を完了した楽曲データを利用者がレンタカー借用時に利用できるようにするための準備動作）を示す説明図である。
【００６１】
ユーザ管理装置２０５は、一定期間を過ぎた利用者別一次データを利用者別正式データとし、車載機４００が楽曲をダウンロードを要求するためのパスワードを生成し、利用者別正式データに含ませる。このパスワードは、車載機４００を利用する利用者が不特定多数のため、セキュリティの観点からワンタイムパスワードとして利用し、利用後に楽曲データ利用料金を権利者と精算する際、同一利用者からの再利用か、否かの識別に利用するために生成される。
【００６２】
ユーザ管理装置２０５は、利用者別正式データに基づいて、あらかじめ設定された携帯電話網３００のトラフィックが低い時間帯に、予約された車載機４００に対応する利用者別正式データ、ダウンロード要求開始を要求配信装置２０７に通知する（図６ステップＳ２）。要求配信装置２０７は、対応する車載機４００にダウンロード要求通知（順番、選曲ＩＤ、パスワード、利用期間の終了日を含む）を専用線１２、携帯電話網３００を介して送信する（図６ステップＳ３）。
【００６３】
車載機４００は、ダウンロード要求開始を受信した契機で、自身に利用の終了日、パスワードを登録した後、携帯電話網３００、専用線１２を介して選曲ＩＤ・終了日・順番を付加したダウンロード要求を楽曲配信システム２００の配信装置２０６に対して送信する（図６ステップＳ４）。配信装置２０６は、ダウンロード要求を受け取ると、専用線１１を介して楽曲蓄積装置９００に順番・選曲ＩＤを含むデータ要求を送信する（図６ステップＳ５）。楽曲蓄積装置９００は、データ要求を受け取ると、順番・選曲ＩＤに対応する暗号化された楽曲データを専用線１１を介して配信装置２０６に送信する（図６ステップＳ６）。
【００６４】
配信装置２０６は、楽曲データを受け取ると、鍵データ生成装置２０４に対し、選曲ＩＤ、利用期間の終了日を含む鍵データ要求を送信し（図６ステップＳ７）、鍵データ生成装置２０４は、選曲ＩＤ、利用期間の終了日に基づいて、鍵データを生成し、配信装置２０６に送信し（図６ステップＳ８）、配信装置２０６は、順番、楽曲データ、鍵データの組を専用線１２、携帯電話網３００を介して車載機４００に送信する（図６ステップＳ９）。車載機４００は、順番、楽曲データ、鍵データの組を楽曲再生用データとして内部に保持する。
【００６５】
このようにして利用者がレンタカーを利用する際にすぐに楽曲を再生可能な状態にしておく。
【００６６】
次に（３）利用中の動作について説明する。
【００６７】
図７は、利用中の動作を示す説明図である。
【００６８】
図７を参照すると、レンタカーに搭乗した利用者が、車載機４００の再生ボタンを押下すると（図７ステップＳ７１）、車載機４００は、順番に従って、楽曲再生用データの楽曲データを鍵データを使って復号し、再生する（図７ステップＳ７２）。再生後一定時間（２０秒程度）経過した後、車載機４００は、選曲された楽曲が再生されたことを示す選曲履歴を自身に記録する。
【００６９】
また、車載機４００は、携帯電話網３００の利用時間の低い時間帯に、一括してリクエスト受付装置２０３に対して選曲履歴を送信する（図７ステップＳ７３）。リクエスト受付装置２０３は、履歴情報をユーザ管理装置２０５に送信し（図７ステップＳ７４）、ユーザ管理装置２０５は、履歴情報を記憶装置２０２に格納する（図７ステップＳ７５）。
【００７０】
次に、レンタカーに搭乗した後、追加の楽曲を利用する場合の動作について説明する。
【００７１】
利用者は、車載機から追加の楽曲を選曲する際には、楽曲ごとに付加された選曲ＩＤを入力することで実施する。選曲を受けた車載機４００は携帯電話網３００を経由してリクエスト受付装置２０３に、車載機ＩＤ、パスワードを付加して選曲要求を送信する。リクエスト受付装置２０３は、選曲要求からユーザ管理装置２０５に問い合わせを実施し、車載機ＩＤ、パスワードによる車載機４００の正当性を確認する（認証）。認証結果を通過した以降の動作は、（２）利用準備動作に記したダウンロード要求の動作と同様になる。
【００７２】
次に、レンタカーの借用期間を超過して利用した場合の動作について説明する。
【００７３】
レンタカーの借用期間を超過した場合、車載機４００は、自身の日付情報と利用期間の終了日を参照し超過を判断する。車載機４００は、超過と判断した場合、利用者に対して超過している旨を促すメッセージもしくはＬＥＤランプ表示等の手段を用いて通知する。超過後も継続してサービス利用を継続する場合、利用者は従来の動作と変わりなくサービスを継続できる。車載機４００は、超過後の再生と判断し、リクエスト受信装置２０３に対して超過信号を送信する。超過信号には、車載機４００が保持している利用期間の終了日を送信する。
【００７４】
リクエスト受信装置２０３は、この応答信号として、新たな終了日を返信する。この際、あらたな終了日は受信した超過信号に設定された終了日にたとえば、一日加えた日付を設定する。新しい終了日を受信した車載機４００は、自身の保持していた終了日の情報を更新し記録する。なお、楽曲の鍵データは以前の終了日によって使用できなくなっているので、楽曲再生の際には、鍵データのみ配信装置２０６に要求し、新しく期限設定された鍵データを再度受信して再生する。
【００７５】
次に、（４）利用後の動作について図面を参照して説明する。
【００７６】
図８は、利用後の動作（データの削除）を示す説明図である。
【００７７】
車載機４００に蓄積された楽曲データは、利用期間の終了日を超過した後、事前に設定された一定期時間に再生動作が行われなかった場合に削除される。
【００７８】
図８を参照すると、ユーザ管理装置２０５は、記憶装置２０２に格納されている利用情報から利用期間の終了日が過ぎてからシステムの定める一定期時間を超過したかどうかを検出し、超過していれば、要求配信装置２０７に対応する車載機４００に格納されている楽曲データの削除を指示する削除要求を送信する（図８ステップＳ８１）。次に、要求配信装置２０７は、専用線１２、携帯電話網３００を介して車載機４００に削除指示を送信する（図８ステップＳ８２）。車載機４００は、削除指示を受け取ると、予約番号、パスワード、予約期間の終了日、選曲情報、楽曲データ、鍵データ等の全てのデータを削除する（図８ステップＳ８３）。
【００７９】
また、携帯電話網３００のサービス圏外時等、なんらかの理由で車載機４００が削除要求を受信できない場合、車載機４００は、図６ステップＳ３において受信した終了日情報と車載機４００が保持する一定期間のタイマーの値とを比較して終了日の超過を判定し、自身で楽曲データを削除することも可能である。
【００８０】
また、その他不正利用等特別な事情で、車載機４００のデータの削除が必要な場合に、楽曲配信システム２００の管理者が、ユーザ管理装置２０５を操作して、車載機４００に削除要求を送信させることも可能である。
【００８１】
このように、第３者や他の媒体を介することなく楽曲情報を管理した配信を実現することにより、サービス性を損なうことなく著作権・隣接権を保護し、楽曲精算情報を残し、ネットワーク利用効率を向上したサービスが実現可能となる。
【００８２】
次に、本発明の第２の実施の形態について図面を参照して説明する。
【００８３】
図９は、本発明の第２の実施の形態の構成概要を示す説明図である。
【００８４】
図９を参照すると、本発明の第２の実施の形態は、本発明の第１の実施の形態に旅行代理店が構成要素として追加される。
【００８５】
利用者が、旅行目的でレンタカーを利用する場合、現地までの交通手段を他の交通機関（飛行機・電車・船など）で利用し、現地にてレンタカーを利用するケースが存在する。旅行代理店が、これらの交通手段との組み合わせでレンタカーの利用プランを作成し、楽曲提供者または配信事業者が、「地域」「時期」に由来する楽曲を提供することで、音楽というキーワードから利用者のイメージにあわせた「旅」を演出することが実現できる。これにより利用者の嗜好に応じた「旅行サービスの提供」が可能となる。なお、利用者からのサービス利用料金の徴収は、レンタカー事業者に代わって旅行代理店が実施する。
【００８６】
図１０は、本発明の第２の実施の形態の構成を示す詳細ブロック図である。
【００８７】
図１０を参照すると、本発明の第２の実施の形態は、図２の構成に、旅行代理店システム７０が追加される。旅行代理店システム７０は、予約システム７００と、予約受付システム７０１と、記憶装置７０２とを備える。記憶装置７０２は、予約番号、利用期間等を含むデータテーブル７０３を格納する。
【００８８】
予約受付システム７０１は、旅行プランにあわせた音楽プログラムの概要をインターネット６００を介して利用者に公開する。音楽プログラムは、楽曲配信システム２００の選曲受付システム２０１に旅行代理店の利用したい内容にあわせてホームページとして用意しておく。
【００８９】
利用者は、インターネット６００、予約受付システム７０１を介し、予約システム７００から該当の旅行プランを選択し、レンタカーの利用ならびに音楽サービスの提供を受けることを選択する。この際、予約システム７００は、予約番号を生成して、データテーブル７０３に格納し、利用者に送信し、旅行プランの内容、利用期間の情報を自身に登録する。予約番号を取得した利用者は、予約システム７００の提供する旅行プランのシステムにリンクしたレンタカー事業者システム１０の、予約受付システム１０１、予約システム１００が提供するレンタカー予約のホームページに移行し、レンタカーの「車種」等を選択する。この際、「予約番号」、「利用期間」の情報は引き継がれ、レンタカー事業者システム１０の予約システム１００に登録される。
【００９０】
次に、予約システム１００、楽曲配信事業者システム２０、楽曲提供者システム９０において、本発明の第１の実施の形態と同様の処理が実施される。予約番号は、予約システム７００において生成されたものが、楽曲配信事業者システム２０等、全てに伝播され使用される。
【００９１】
また、この構成においては、レンタカー店舗には、パソコン８０１、携帯電話８０２を設置しない。
【００９２】
次に、本発明の第３の実施の形態について図面を参照して説明する。
【００９３】
本発明の第３の実施の形態は、本発明の第１の実施の形態、本発明の第２の実施の形態の動作の各ステップ（図４〜図８等）を含む方法である。
【００９４】
次に、本発明の第３の実施の形態について図面を参照して説明する。
【００９５】
本発明の第４の実施の形態は、本発明の第３の実施の形態の動作の各ステップ（図４〜図８等）をコンピュータ（予約システム１００、楽曲配信システム２００、楽曲蓄積装置９００、車載機４００等）に実行させるプログラムである。
【００９６】
【発明の効果】
第１の効果は、利用者が、聞きたい曲を一定期間、レンタカー内で利用することができることである。
【００９７】
その理由は、事前に、聞きたい曲をレンタカーの車載機にダウンロードする構成をとるからである。
【００９８】
第２の効果は、楽曲を提供する著作権・隣接権保持者の権利を損なわない楽曲提供が可能となることである。
【００９９】
その理由は、レンタカー利用に特化するシステムを提供することにより車載機というハードウェアの管理と楽曲データというソフトウェア管理を分離することができるため、楽曲提供者にとって最も重要な著作権・隣接権損なわない楽曲提供方式の実現が可能となるからである。
【０１００】
第３の効果は、ネットワークの設備リソースに負担をかけない楽曲配信の実現できることである。
【０１０１】
その理由は、ネットワークの使用率が低い時間帯を利用して楽曲の配信が可能となるからである。
【図面の簡単な説明】
【図１】本発明の第１の実施の形態の構成概要を示す説明図である。
【図２】利用者がサービスを利用する際の概要を示す説明図である。
【図３】本発明の第１の実施の形態の詳細構成を示すブロック図である。
【図４】利用者利用予約の動作を示す説明図である。
【図５】利用者の楽曲選曲実施時の動作を示す説明図である。
【図６】利用準備の動作を示す説明図である。
【図７】利用中の動作を示す説明図である。
【図８】利用後の動作を示す説明図である。
【図９】本発明の第２の実施の形態の構成概要を示す説明図である。
【図１０】本発明の第２の実施の形態の構成を示す詳細ブロック図である。
【符号の説明】
１０    レンタカー事業者システム
１１    専用線
１２    専用線
２０    楽曲配信事業者システム
７０    旅行代理店システム
９０    楽曲提供者システム
１００    予約システム
１０１    予約受付システム
１０２    記憶装置
１０３    データテーブル
２００    楽曲配信システム
２０１    選曲受付システム
２０２    記憶装置
２０３    リクエスト受付装置
２０４    鍵データ生成装置
２０５    ユーザ管理装置
２０６    配信装置
２０７    要求配信装置
３００    携帯電話網
４００    車載機
６００    インターネット
７００    予約システム
７０１    予約受付システム
７０２    記憶装置
７０３    データテーブル
８０１    パソコン
８０２    携帯電話
８０３    パソコン
９００    楽曲蓄積装置
【図１】
2004361723.tif 000003
【図２】
2004361723.tif 000004
【図３】
2004361723.tif 000005
【図４】
2004361723.tif 000006
【図５】
2004361723.tif 000007
【図６】
2004361723.tif 000008
【図７】
2004361723.tif 000009
【図８】
2004361723.tif 000010
【図９】
2004361723.tif 000011
【図１０】
2004361723.tif 000012